(57)【要約】【課題】転送機能付き記録媒体を用いる場合に、適切に画像データが転送されるようにする。【解決手段】撮像部２により得られた複数の撮影画像を合成して合成画像を生成する多重露出撮影が可能な撮像装置であって、多重露出撮影モードにおいて、フォルダ５０３に画像データが記録されると、その画像データを予め設定された転送先に自動転送する転送機能付き記録媒体が装着されているかどうかを判定し、転送機能付き記録媒体が装着されていると判定した場合、当該モードで生成される画像データを、ＫＥＥＰフォルダ５０４に記録する。そして、多重露出撮影モードでの複数回の撮影及び合成の終了後に、ＫＥＥＰフォルダ５０４に記録した画像データをフォルダ５０３に移動させる。【選択図】図２
2013051502.tif 000002
【特許請求の範囲】
【請求項１】
撮像手段により得られた複数の撮影画像を合成して合成画像を生成する機能を有する撮像装置であって、
第１の保存領域に画像データが記録されると、その画像データを予め設定された転送先に自動転送する転送機能付き記録媒体が装着されているかどうかを判定する判定手段と、
前記合成画像を生成するモードにおいて、前記判定手段により転送機能付き記録媒体が装着されていると判定した場合、当該モードで生成される画像データを、自動転送しない第２の保存領域に記録する記録手段と、
前記合成画像を生成するモードでの複数回の撮影及び合成の終了後に、前記第２の保存領域に記録した画像データを前記第１の保存領域に移動させる移動手段とを備えたことを特徴とする撮像装置。
【請求項２】
前記第２の保存領域は、前記転送機能付き記録媒体に生成されることを特徴とする請求項１に記載の撮像装置。
【請求項３】
前記合成画像を生成するモードで生成される画像データとは、前記撮像手段により得られた各撮影画像データ及びそれらを合成した合成画像データであることを特徴とする請求項１又は２に記載の撮像装置。
【請求項４】
前記合成画像を生成するモードにおいて撮影毎に撮影のやり直しが可能であり、撮影をやり直す対象となった撮影画像データは前記第２の保存領域に残さないことを特徴とする請求項３に記載の撮像装置。
【請求項５】
前記移動手段は、少なくとも前記合成画像データを前記第１の保存領域に移動させることを特徴とする請求項３に記載の撮像装置。
【請求項６】
前記記録手段は、前記合成画像を生成するモードにおいて、前記判定手段により転送機能付き記録媒体が装着されていると判定し、かつ、その転送機能が有効となっている場合、当該モードで生成される画像データを前記第２の保存領域に記録することを特徴とする請求項１乃至５のいずれか１項に記載の撮像装置。
【請求項７】
前記記録手段は、前記合成画像を生成するモードにおいて、前記判定手段により転送機能付き記録媒体が装着されていると判定し、かつ、その転送機能が無効となっている場合は、当該モードで生成される画像データを前記第１の保存領域に記録することを特徴とする請求項６に記載の撮像装置。
【請求項８】
前記合成画像を生成するモードにおいて、前記転送機能付き記録媒体の転送機能の有効、無効の切り換えを禁止する禁止手段を備えたことを特徴とする請求項６又は７に記載の撮像装置。
【請求項９】
撮像手段により得られた複数の撮影画像を合成して合成画像を生成する機能を有する撮像装置の制御方法であって、
前記合成画像を生成するモードにおいて、
第１の保存領域に画像データが記録されると、その画像データを予め設定された転送先に自動転送する転送機能付き記録媒体が装着されているかどうかを判定するステップと、
前記ステップにより転送機能付き記録媒体が装着されていると判定した場合、当該モードで生成される画像データを、自動転送しない第２の保存領域に記録するステップと、
前記合成画像を生成するモードでの複数回の撮影及び合成の終了後に、前記第２の保存領域に記録した画像データを前記第１の保存領域に移動させるステップとを有することを特徴とする撮像装置の制御方法。
【請求項１０】
撮像手段により得られた複数の撮影画像を合成して合成画像を生成する機能を有する撮像装置を制御するためのプログラムであって、
前記合成画像を生成するモードにおいて、
第１の保存領域に画像データが記録されると、その画像データを予め設定された転送先に自動転送する転送機能付き記録媒体が装着されているかどうかを判定する処理と、
前記処理により転送機能付き記録媒体が装着されていると判定した場合、当該モードで生成される画像データを、自動転送しない第２の保存領域に記録する処理と、
前記合成画像を生成するモードでの複数回の撮影及び合成の終了後に、前記第２の保存領域に記録した画像データを前記第１の保存領域に移動させる処理とをコンピュータに実行させるためのプログラム。
【発明の詳細な説明】
【技術分野】
【０００１】
本発明は、撮像手段により得られた複数の撮影画像を合成して合成画像を生成する機能を有する撮像装置、その制御方法及びプログラムに関する。
【背景技術】
【０００２】
近年、外部記録媒体として、無線機能を有する記録媒体が実用化されている。無線機能を有する記録媒体では転送先を設定することが可能であり、記録媒体の特定の保存領域に撮像装置で撮影した画像データファイルの書き込みが完了したと同時に、設定された転送先に画像データファイルを自動転送できるものである。
【０００３】
また、フィルムカメラにおいて、フィルムのコマ送りを行わず、複数回の露光を行い、多重露出（露光）によって画像を合成する機能があった。フィルムを用いないデジタルカメラでも、フィルムカメラと同様の機能を備え、合成画像を生成するようにしたものもある。さらに、多重露出撮影時、最終的な合成結果の画像だけを画像データファイルとして保存するだけでなく、合成元に使用される１枚毎に撮影された素材画像データも保存しておく多重露出撮影の形態も存在する。この形態では、撮影したが、撮影者が合成に使用したくない場合、その撮影した素材画像データファイルを合成に用いないようにする多重露出撮影の１枚取り消しが可能となっているものもある。
【０００４】
従来、転送機能を持つ撮像装置や上述したような転送機能付き記録媒体を用いて撮影画像データを転送する場合、撮影時に自動転送する方式だけでなく、特許文献１に記載されているように撮影毎に転送するかしないかを選択させる方式が公知である。無線ＬＡＮの転送速度が、撮像装置が撮影によって撮影画像を生成する速度に比べて十分に高速とは言えないため、撮影後に自動転送すると、無線ＬＡＮが動作することにより撮像装置の動作が遅くなり、次の撮影に影響することがあった。特許文献１では、これを解決するために、撮影した画像毎にプレビューを表示し、撮影画像を転送するかしないかを選択させる構成が開示されている。
【０００５】
また、多重露出撮影において撮影した画像を消去する方法については特許文献２に記載されている。
【先行技術文献】
【特許文献】
【０００６】
【特許文献１】特開２００７−３１２３１９号公報
【特許文献２】特開２００７−２２１２３７号公報
【発明の概要】
【発明が解決しようとする課題】
【０００７】
しかしながら、上述の特許文献１に開示された従来技術では、撮影者が手動で転送するかしないかを選択する必要がある。複数回の露光を行う多重露出撮影中には、撮影毎に撮影画像を転送するかしないかを選択させるのは実用的ではない。
【０００８】
また、転送機能付き記録媒体で画像データファイルを自動転送する場合に、転送機能付き記録媒体に撮影毎に生成される素材画像と、最終的に生成される合成画像とを保存する多重露出撮影において多重露出撮影の途中で１枚取り消してしまうと、多重露出の合成結果とは関係のない素材画像までもが転送先に自動転送されてしまうという課題がある。
【０００９】
本発明は上記のような点に鑑みてなされたものであり、転送機能付き記録媒体を用いる場合に、例えば多重露出撮影の際に、適切に画像データが転送されることを目的とする。
【課題を解決するための手段】
【００１０】
本発明の撮像装置は、撮像手段により得られた複数の撮影画像を合成して合成画像を生成する機能を有する撮像装置であって、第１の保存領域に画像データが記録されると、その画像データを予め設定された転送先に自動転送する転送機能付き記録媒体が装着されているかどうかを判定する判定手段と、前記合成画像を生成するモードにおいて、前記判定手段により転送機能付き記録媒体が装着されていると判定した場合、当該モードで生成される画像データを、自動転送しない第２の保存領域に記録する記録手段と、前記合成画像を生成するモードでの複数回の撮影及び合成の終了後に、前記第２の保存領域に記録した画像データを前記第１の保存領域に移動させる移動手段とを備えたことを特徴とする。
【発明の効果】
【００１１】
本発明によれば、合成画像を生成するモード時に、転送機能付き記録媒体が装着されている場合、当該モードで生成される画像データを、適切に転送することができる。
【図面の簡単な説明】
【００１２】
【図１】第１の実施形態に係る撮像装置の要部構成を示すブロック図である。
【図２】第１の実施形態における多重露出撮影モード時の動作を示すフローチャートである。
【図３】第２の実施形態における多重露出撮影モード時の動作を示すフローチャートである。
【図４】多重露出撮影中における転送機能の切り替え禁止処理を示すフローチャートである。
【図５】転送機能付き記録媒体が装着された場合に生成されるフォルダ構成の例を示す図である。
【発明を実施するための形態】
【００１３】
以下、添付図面を参照して、本発明の好適な実施形態について説明する。
（第１の実施形態）
図１は、本実施形態に係る撮像装置の要部構成を示すブロック図である。撮像装置は、いわゆるデジタルスチルカメラの他、いわゆるカメラ付き携帯電話でもよい。１は撮影レンズ、２は撮像手段である撮像部であり、撮影レンズ１を通過した披写像は撮像部２で結像され、電気信号へ変換される。３はＡ／Ｄ変換器であり、撮像部２で変換された電気信号をデジタル信号に変換する。４は撮像装置全体を制御するＣＰＵである。５は画像処理部であり、デジタル信号へ変換されたデジタル信号に様々な処理を行い、画像データに変換する。６は記録媒体種類検出部であり、記録媒体９の種類を検出する。
【００１４】
８はＲＡＭ等の画像記録部であり、画像処理部５で変換された画像データを保存する。７は画像合成部であり、画像記録部８に保存されている画像データを合成して合成画像を生成する。１１はＲＯＭ等の不揮発性記憶媒体であり、カメラの設定等、電源を切っても忘れたくない情報をこの場所に保存しておく。９は記録媒体であり、画像記録部８にある画像データ又は画像合成部７で作成された画像データを保存する。１０はＴＦＴ等の液晶ディスプレイからなる表示部であり、撮像画像、警告画面等、様々な情報を表示する。１２は転送機能切替部であり、記録媒体９として転送機能付き記録媒体が装着されているとき等に、転送機能の有効化又は無効化を切り換えるものである。１３は撮影枚数設定部であり、多重露出撮影を何枚の撮影で行うかの設定を行う。
なお、撮像装置の制御は１つのハードウェアを用いて実現してもよいし、複数のハードウェアが処理を分担し、結果として撮像装置全体の制御を実現するようにしてもよい。
【００１５】
なお、転送機能付き記録媒体の一例としては、いわゆるメモリカードの内部にマイコンと記録領域、無線通信部を含む記録媒体である。本実施形態における転送機能付き記録媒体は、マイコンが自機の記録領域に画像データが書き込まれたことを検知し、無線通信部で外部装置に転送する機能を有する。なお、無線通信部による転送は撮像装置とは独立してマイコンが自動的に行うことが可能である。
【００１６】
図２は、本実施形態における多重露出撮影モード時の動作を示すフローチャートである。図２を参照して、撮像装置に転送機能付き記録媒体が装着されているときの多重露出撮影の動作を説明する。図２のフローチャートは、ＣＰＵ４がプログラムを読み出して実行することにより実現される。
【００１７】
転送機能付き記録媒体が撮像装置に装着されると、撮像装置がＤＣＦ規格に準拠したフォルダを作成する。図５は、転送機能付き記録媒体が装着された場合に生成されるフォルダ構成の例を示す図である。転送機能付き記録媒体が撮像装置に装着されると、撮像装置は１００＿ＳＥＮＤフォルダ５０３を生成する。この１００＿ＳＥＮＤフォルダ５０３に画像データファイルが記録、保存されると、転送機能付き記録媒体はその画像データファイルを予め設定された転送先に自動転送する。また、図５に示すように、撮像装置はＤＣＦ準拠のＤＣＩＭフォルダ５０１やＭＩＳＣフォルダ５０２と同階層に通信機能が有効になっているが、画像データファイルをそのフォルダに記録、保存しても自動転送しないフォルダ５０４（ＫＥＥＰフォルダと称する）を生成することが可能である。本実施形態では、転送機能付き記録媒体が装着された場合、必ずこのＫＥＥＰフォルダ５０４を生成するものとする。本実施形態では、１００＿ＳＥＮＤフォルダ５０３が第１の保存領域の一例であり、ＫＥＥＰフォルダ５０４が第２の保存領域の一例である。
【００１８】
ステップＳ２０１で、撮像装置のメニュー画面での操作等により多重露出撮影モードに変更されると、ステップＳ２０２で、撮影者に撮影枚数設定部１３を介して多重露出撮影の枚数（多重設定枚数と称する）を設定させる。ステップＳ２０３で、ＣＰＵ４は、撮像装置に転送機能付き記録媒体が装着されているかどうかの判定を行う。
【００１９】
ステップＳ２０３において転送機能付きの記録媒体が装着されている場合、ステップＳ２０４に進み、ＣＰＵ４は、多重露出撮影モードで生成される画像データファイルの保存先を、図５に示したＫＥＥＰフォルダ５０４に変更する。ステップＳ２０５で、ＣＰＵ４は多重露出撮影を開始する。１枚撮影後、ステップＳ２０６で、ステップＳ２０２において設定した多重設定枚数を１枚減らす。ステップＳ２０７で、撮影した撮影画像（以下、素材画像と称する）データファイルを生成し、保存先であるＫＥＥＰフォルダ５０４に保存する。
【００２０】
ステップＳ２０８で、ＣＰＵ４は、ステップＳ２０５において撮影した素材画像を、合成する画像として使用するか、又は取り消すかの判定を行う。取り消す場合、ＫＥＥＰフォルダ５０４から当該素材画像データファイルを消去した上で、ステップＳ２０９で、多重設定枚数を１枚加算し、ステップＳ２０５で、撮影のやり直しを行う。このように複数回の撮影毎に撮影のやり直しが可能であり、撮影をやり直す対象となった素材画像データはＫＥＥＰフォルダ５０４に残さないようにしている。合成する画像として使用する場合、ステップＳ２１０で、ＣＰＵ４の制御下で画像合成を行う。
【００２１】
ステップＳ２１１で、ＣＰＵ４は、ステップＳ２０２において設定した多重設定枚数が０になっているかどうかの判定を行う。多重設定枚数が０になっていない場合、ステップＳ２０５に戻り、多重設定枚数が０になるまでステップＳ２０５〜Ｓ２１０を繰り返す。多重設定枚数が０になっている場合、ステップＳ２１２に進み、合成画像データファイルをＫＥＥＰフォルダ５０４から１００＿ＳＥＮＤフォルダ５０３に移動させて、転送先に自動転送させる。また、ステップＳ２１３で、素材画像データファイルをＫＥＥＰフォルダ５０４から１００＿ＳＥＮＤフォルダ５０３に全て移動させて、転送先に自動転送させる。なお、ここでいう移動とは、コピーも含まれる概念であるとする。また、ステップＳ２１２、Ｓ２１３において転送した後、ＫＥＥＰフォルダ５０４に残っている画像データファイルは消去しても、そのまま残しておいてもよい。
【００２２】
一方、ステップＳ２０３において転送機能付き記録媒体が装着されていない場合、ステップＳ２１４に進む。この場合、撮像装置は自動転送しないＫＥＥＰフォルダ５０４を生成しないので、通常通り、多重露出撮影モードで生成される画像データファイルの保存先をＤＣＦ規格に則ったＤＣＩＭ以下にできるフォルダに設定する。ステップＳ２１５で、ＣＰＵ４は多重露出撮影を開始する。１枚撮影後、ステップＳ２１６で、ステップＳ２０２において設定した多重設定枚数を１枚減らす。ステップＳ２１７で、撮影した素材画像データファイルを生成し、保存先に保存する。
【００２３】
ステップＳ２１８で、ＣＰＵ４は、ステップＳ２１５において撮影した素材画像を、合成する画像として使用するか、又は取り消すかの判定を行う。取り消す場合、ステップＳ２１９で、多重設定枚数を１枚加算し、ステップＳ２１５で、撮影のやり直しを行う。合成する画像として使用する場合、ステップＳ２２０で、ＣＰＵ４の制御下で画像合成を行う。
【００２４】
ステップＳ２２１で、ＣＰＵ４は、ステップＳ２０２において設定した多重設定枚数が０枚になっているかどうかの判定を行う。多重設定枚数が０枚になっていない場合、ステップＳ２１５に戻り、多重設定枚数が０枚になるまでステップＳ２１５〜Ｓ２２０を繰り返す。多重設定枚数が０になっている場合、ステップＳ２２２に進み、合成画像データファイルを保存先に保存する。
【００２５】
以上のように、撮像装置に転送機能付き記録媒体が装着されていて、多重露出撮影で合成に用いる複数の素材画像及び合成画像が記録媒体に保存される形式の多重露出撮影を行っているとき、多重露出撮影の合成したくない画像を１枚キャンセルして撮影のやり直しを行う場合においても、その失敗画像が自動転送されることなく、多重露出撮影の終了時に素材画像及び合成画像を適切に転送先に自動転送させることが可能となる。
【００２６】
本実施形態では、多重露出撮影の終了時に、撮影毎に生成された素材画像データファイル及びそれらを合成した合成画像データファイルを１００＿ＳＥＮＤフォルダ５０３に移動させて、転送先に自動転送させる例を説明したが、素材画像データファイルは１００＿ＳＥＮＤフォルダ５０３に移動させないようにしてもよい。これにより、多重露出撮影の終了時に合成画像データファイルだけを１００＿ＳＥＮＤフォルダ５０３に移動させて、転送先に自動転送させることが可能となる。
【００２７】
（第２の実施形態）
次に、図３を参照して、本発明の第２の実施形態を説明する。本実施形態では、撮像装置に転送機能付きの記録媒体が装着されており、転送機能の有効、無効を選択できる場合の多重露出撮影について説明する。撮像装置の基本的な構成は第１の実施形態と同様であり、ここではその詳細な説明は省略する。
【００２８】
図３は、本実施形態における多重露出撮影モード時の動作を示すフローチャートである。図３を参照して、撮像装置に転送機能付き記録媒体が装着されているときの多重露出撮影の動作を説明する。図３のフローチャートは、ＣＰＵ４がプログラムを読み出して実行する。
【００２９】
ステップＳ３０１で、撮像装置のメニュー画面での操作等により多重露出撮影モードに変更されると、ステップＳ３０２で、撮影者に撮影枚数設定部１３を介して多重露出撮影の枚数（多重設定枚数と称する）を設定させる。ステップＳ３０３で、ＣＰＵ４は、撮像装置に転送機能付き記録媒体が装着されているかどうかの判定を行う。
【００３０】
ステップＳ３０３において転送機能付きの記録媒体が装着されている場合、ステップＳ３０４に進み、転送機能付き記録媒体の転送機能が有効になっているか、無効になっているかの判定を行う。ステップＳ３０４において転送機能が有効になっている場合、ステップＳ３０５に進み、ＣＰＵ４は、多重露出撮影モードで生成される画像データファイルの保存先を、図５に示したＫＥＥＰフォルダ５０４に変更する。ステップＳ３０６で、ＣＰＵ４は多重露出撮影を開始する。１枚撮影後、ステップＳ３０７で、ステップＳ３０２において設定した多重設定枚数を１枚減らす。ステップＳ３０８で、撮影した素材画像データファイルを生成し、保存先であるＫＥＥＰフォルダ５０４に保存する。
【００３１】
ステップＳ３０９で、ＣＰＵ４は、ステップＳ３０６において撮影した素材画像を、合成する画像として使用するか、又は取り消すかの判定を行う。取り消す場合、ＫＥＥＰフォルダ５０４から当該素材画像データファイルを削除した上で、ステップＳ３１０で、多重設定枚数を１枚加算し、ステップＳ３０６で、撮影のやり直しを行う。合成する画像として使用する場合、ステップＳ３１１で、ＣＰＵ４の制御下で画像合成を行う。
【００３２】
ステップＳ３１２で、ＣＰＵ４は、ステップＳ３０２において設定した多重設定枚数が０になっているかどうかの判定を行う。多重設定枚数が０になっていない場合、ステップＳ３０６に戻り、多重設定枚数が０になるまでステップＳ３０６〜Ｓ３１１を繰り返す。多重設定枚数が０になっている場合、ステップＳ３１３に進み、合成画像データファイルをＫＥＥＰフォルダ５０４から１００＿ＳＥＮＤフォルダ５０３に移動させて、転送先に自動転送させる。また、ステップＳ３１４で、素材画像データファイルをＫＥＥＰフォルダ５０４から１００＿ＳＥＮＤフォルダ５０３に全て移動させて、転送先に自動転送させる。なお、ステップＳ３１３、Ｓ３１４において転送した後、ＫＥＥＰフォルダ５０４に残っている画像データファイルは消去しても、そのまま残しておいてもよい。
【００３３】
一方、ステップＳ３０３において転送機能付き記録媒体が装着されていない場合、ステップＳ３１５に進む。この場合、撮像装置は自動転送しないＫＥＥＰフォルダ５０４を生成しないので、通常通り、多重露出撮影モードで生成される画像データファイルの保存先をＤＣＦ規格に則ったＤＣＩＭ以下にできるフォルダに設定する。ステップＳ３１６で、ＣＰＵ４は多重露出撮影を開始する。１枚撮影後、ステップＳ３１７で、ステップＳ３０２において設定した多重設定枚数を１枚減らす。ステップＳ３１８で、撮影した素材画像データファイルを生成し、保存先に保存する。
【００３４】
ステップＳ３１９で、ＣＰＵ４は、ステップＳ３１６において撮影した素材画像を、合成する画像として使用するか、又は取り消すかの判定を行う。取り消す場合、ステップＳ３２０で、多重設定枚数を１枚加算し、ステップＳ３１６で、撮影のやり直しを行う。合成する画像として使用する場合、ステップＳ３２１で、ＣＰＵ４の制御下で画像合成を行う。
【００３５】
ステップＳ３２２で、ＣＰＵ４は、ステップＳ３０２において設定した多重設定枚数が０枚になっているかどうかの判定を行う。多重設定枚数が０枚になっていない場合、ステップＳ３１６に戻り、多重設定枚数が０枚になるまでステップＳ３１６〜Ｓ３２１を繰り返す。多重設定枚数が０になっている場合、ステップＳ３２３に進み、合成画像データファイルを保存先に保存する。
【００３６】
また、ステップＳ３０４において転送機能が無効になっている場合、ステップＳ３２４に進み、ＣＰＵ４は、多重露出撮影モードで生成される画像データファイルの保存先を、図５に示した１００＿ＳＥＮＤフォルダ５０３に変更し、その後ステップＳ３１６に進む。ステップＳ３１６以降で生成される画像データファイルは自動転送する１００＿ＳＥＮＤフォルダ５０３に保存されるが、当該記録媒体の転送機能が無効になっている。したがって、画像データファイルは自動転送されず、転送機能が有効になったタイミングで自動転送されるようになる。
【００３７】
以上のように、転送機能付き記録媒体の転送機能が有効時でも無効時でも、転送機能に依存することなく撮影者の意図しない画像が転送先に転送されることを防止することが可能となる。
【００３８】
上記第２の実施形態では、多重露出撮影中に転送機能付き記録媒体の転送機能が有効又は無効にされると、転送先に撮影者の意図しない画像が転送されてしまう。そこで、多重露出撮影中は、転送機能の切り換えができないようになっている。図４は、多重露出撮影中における転送機能の切り替え禁止処理を示すフローチャートである。ステップＳ４０１で多重露出撮影を開始し、ステップＳ４０２で撮像装置に転送機能付き記録媒体が装着されていると検出された場合、ステップＳ４０３で転送機能の切り換えを禁止する。これにより、多重露出撮影中に転送機能が切り替わり、撮影者の意図しない画像が転送先に転送されてしまうことを防ぐことが可能となる。
【００３９】
（その他の実施形態）
以上、本発明の好ましい実施形態について説明したが、本発明はこれらの実施形態に限定されず、その要旨の範囲内で種々の変形及び変更が可能である。
また、本発明は、以下の処理を実行することによっても実現される。すなわち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【図１】
2013051502.tif 000003
【図２】
2013051502.tif 000004
【図３】
2013051502.tif 000005
【図４】
2013051502.tif 000006
【図５】
2013051502.tif 000007